(57)【要約】      （修正有）【課題】空スペースを有効利用でき、収納された品物の品質を保証し、収納された品物又はコンテナごと集配するサービスに利用できるコンテナの構造を提供する。【解決手段】フォーリフトのフォークを挿入できる空間構成兼ベース用の複数本の脚材と、脚材に設けた壁片を備えた底部と、底部に立設される一面に開放部を備えた壁材と、壁材の開放部に差入れられる壁板と、壁材と壁板でなる上面開口部に被嵌される周辺に壁片を備えた天板とで構成される。【選択図】図１
0003164495.tif 000002
【実用新案登録請求の範囲】
【請求項１】
空スペースに設置され、かつ顧客の品物を収納する収納空間を備えたコンテナの構造であって、
フォーリフトのフォークを挿入できる空間構成兼ベース用の複数本の脚材と、この脚材に設けた壁片を備えた底部と、この底部に立設される一面に開放部を備えた壁材と、この壁材の開放部に差入れられる壁板と、この壁材と壁板とでなる上面開口部に被嵌される周辺に壁片を備えた天板とで構成されるコンテナの構造。
【請求項２】
請求項１に記載のコンテナの構造であって、
前記底部の壁片に緊結用の第一の孔を複数開設し、この第一の孔には、前記壁材、及びこの壁材の開放部に設けた袖壁片の下端に、それぞれ複数開設した第二の孔が整合して、第一の整合孔を形成する構成とし、また、この壁材、及び袖壁片の上端に、それぞれ複数開設した第三の孔には、前記天板の壁片に開設する複数の第四の孔が整合して、第二の整合孔を形成する構成とし、前記第一の整合孔と、第二の整合孔に、止め具を挿入して、前記底部と、この壁材、並びにこの天板を一体化する構成としたコンテナの構造。
【請求項３】
請求項１に記載のコンテナの構造であって、
前記壁板の長手方向の両端部に、前記壁材の開放部に設けた袖壁片に掛止される袖壁板を設ける構成とし、この袖壁板の上下端は、前記底部と天板の各壁片と衝止しないように短尺に形成されている構成としたコンテナの構造。
【請求項４】
請求項１に記載のコンテナの構造であって、
前記底部と、壁材、並びに壁板と、天板とを、段ボールで形成する構成としたコンテナの構造。
【考案の詳細な説明】
【技術分野】
【０００１】
本考案は、建屋の全ての空きスペースに設置され、かつ顧客の品物を収納する収納空間を備えたコンテナの構造に関する。
【背景技術】
【０００２】
本考案におけるコンテナは、次のような新規ビジネスに使用する。この新規ビジネスとは、建屋の全ての空スペース、即ち、空ビル、空テナント、又は空店舗・商店、或いは空倉庫等に設置されるコンテナであって、このコンテナは、顧客の品物を収納する収納空間（部屋）を備えた構造である。このコンテナは、集配サービスによる搬送、又は引取り業務を利用し、顧客の基に移動し、このコンテナに当分必要としない品物を収納するか、又は必要とする品物を取出し、簡易な個人の倉庫として利用する。一方、利用する顧客は、当分必要としない品物を、別の場所に収納でき、居住空間を、広々と活用できる。そして、この搬送、又は引取りは、専門の集配サービスを活用することで、安心、安全である。また、空ビル、空テナント、又は空店舗・商店、或いは空倉庫に等の空スペースを活用することで、この空スペースの関係者に福音をもたらすものである。
【０００３】
上記に鑑み、本考案は、この新規ビジネスに最適で、使用勝手がよい、コンテナを提供することを意図する。
【０００４】
そして、この種の段ボールで形成されたコンテナの構造に関する先行文献を、以下に説明する。
【０００５】
文献（１）は、特開昭６４−７０３５４の「ダンボール梱包用外装箱」である。この発明は、ダンボールで構成した外装箱であって、その構造は、フォークリフトのフォークが挿入できる空間を備えた底箱（第１の外装箱）と、周面側壁を構成する側壁箱（第２の外装壁）と、キャップ形状の天板（第３の外装箱）と、で構成する。この発明は、品物を収容する際に、天板を開放して収納する構造であり、小物等の品物を収容する際と、品物の出入れを、その都度行なうには厄介であり、通常の整理用の箱としての利用に問題を残す。
【０００６】
また、文献（２）は、特開２０１０−１１６２０９の「梱包装置」である。この発明は、底板（板材）の表裏面に下部受け材を設け、この底板に数枚の側面壁材（囲み板）を繞設立設するとともに、この各側面壁材を、数枚の繋ぎ材で連結一体化する構成とし、この一体化した側面壁材に、折曲壁片を備えた天板（キャップ）を被嵌する構成である。この発明は、文献（１）と略同じ構造であり、通常の整理用の箱としての利用に問題を残す。
【０００７】
【特許文献１】特開昭６４−７０３５４
【特許文献２】特開２０１０−１１６２０９
【考案の概要】
【考案が解決しようとする課題】
【０００８】
以上で説明した如く、本考案が意図する新規ビジネスに最適なコンテナは、少なくとも、集配サービスによる搬送、又は引取り業務に適する構造であることと、品物の収納と、収納した品物の、スムーズな取出しができる構造とを必要とする。そして、また、顧客が自主的に、保管された場所（空スペース）に出向き、品物の収納と、収納した品物の、スムーズな取出しができる構造であって、しかも、素人がこれらの所作を簡便に行な得る構造が要望される。また、コンテナ内に収納した品物に、空気との接触を図ることで、この品物の乾燥と、湿りの条件を確保し、また、この品物の品質保証と、損傷と汚れ解消を図ること、等が必要である。
【０００９】
そのためには、少なくとも、例えば、壁材の一部を開放可能とすることと、この開放箇所を、壁板で隠蔽可能な構造とする。この構造により、品物の出入れの自由を確保し、新規ビジネス用のコンテナとして利用可能とする。また、ダンボールという素材の特性と併せて、壁材と壁板との隙間より、コンテナ内への空気の流通を可能とし、品物と空気の接触で、品質保証と、損傷と汚れ解消を図る。
【００１０】
しかしながら、文献（１）と、文献（２）の発明では、品物の出入れに必要とする壁板を、簡易、かつワンタッチで取外すか、又は開閉できるコンテナの構造でない。従って、本考案が意図する、新規ビジネスに最適なコンテナとはいえないと考えられる。
【００１１】
そして、また、新規ビジネスにおいて、空スペースにコンテナを設置するには、このコンテナを、品物の出入れをする場所まで、自由に移動できる手段、例えば、キャスタ付のコンテナボックス内に、収納可能な寸法と、形状を確保する必要があること、又はコンテナボックス内に収納したコンテナから、品物を出入れ自由にすること、等が要求される。
【００１２】
しかしながら、文献（１）と、文献（２）の発明では、コンテナボックス内に、収納可能な寸法と、形状を確保する構造でなく、また、品物の出入れに必要とする壁板を、簡易、かつワンタッチで取外すか、又は開閉できるコンテナの構造でない。従って、本考案が意図する、新規ビジネスに最適なコンテナとはいえないと考えられる。
【課題を解決するための手段】
【００１３】
請求項１の考案は、下記のイ）〜ハ）を意図する。
イ）  壁材の一部を開放可能とすることと、この開放箇所を、壁板で隠蔽可能な構造とする。この構造により、品物の出入れの自由を確保し、新規ビジネス用のコンテナとして利用可能とする。
ロ）  また、ダンボールという素材の特性と併せて、壁材と壁板との隙間より、コンテナ内への空気の流通を可能とし、品物と空気の接触で、品質保証と、損傷と汚れ解消を図る。
ハ）  移動可能なコンテナボックス内に、収納可能な寸法と、形状を確保する。
【００１４】
請求項１は、空スペースに設置され、かつ顧客の品物を収納する収納空間を備えたコンテナの構造であって、
フォーリフトのフォークを挿入できる空間構成兼ベース用の複数本の脚材と、この脚材に設けた壁片を備えた底部と、この底部に立設される一面に開放部を備えた壁材と、この壁材の開放部に差入れられる壁板と、この壁材と壁板とでなる上面開口部に被嵌される周辺に壁片を備えた天板とで構成されるコンテナの構造である。
【００１５】
請求項２の考案は、下記のニ）を意図する。
ニ）  上記のイ）〜ハ）の目的を達成できるコンテナの構造を提供する。
【００１６】
請求項２は、請求項１に記載のコンテナの構造であって、
前記底部の壁片に緊結用の第一の孔を複数開設し、この第一の孔には、前記壁材、及びこの壁材の開放部に設けた袖壁片の下端に、それぞれ複数開設した第二の孔が整合して、第一の整合孔を形成する構成とし、また、この壁材、及び袖壁片の上端に、それぞれ複数開設した第三の孔には、前記天板の壁片に開設する複数の第四の孔が整合して、第二の整合孔を形成する構成とし、前記第一の整合孔と、第二の整合孔に、止め具を挿入して、前記底部と、この壁材、並びにこの天板を一体化する構成としたコンテナの構造である。
【００１７】
請求項３の考案は、下記のホ）を意図する。
ホ）  上記のイ）〜ハ）の目的を達成できる壁板の構造を提供する。
【００１８】
請求項３は、請求項１に記載のコンテナの構造であって、
前記壁板の長手方向の両端部に、前記壁材の開放部に設けた袖壁片に掛止される袖壁板を設ける構成とし、この袖壁板の上下端は、前記底部と天板の各壁片と衝止しないように短尺に形成されている構成としたコンテナの構造である。
【００１９】
請求項４の考案は、下記のへ）を意図する。
へ）  上記のイ）〜ハ）の目的を達成できるコンテナの材料（構成材）を提供する。
【００２０】
請求項４は、請求項１に記載のコンテナの構造であって、
前記底部と、壁材、並びに壁板と、天板とを、段ボールで形成する構成としたコンテナの構造である。
【考案の効果】
【００２１】
請求項１の考案は、空スペースに設置され、かつ顧客の品物を収納する収納空間を備えたコンテナの構造であって、
フォーリフトのフォークを挿入できる空間構成兼ベース用の複数本の脚材と、脚材に設けた壁片を備えた底部と、底部に立設される一面に開放部を備えた壁材と、壁材の開放部に差入れられる壁板と、壁材と壁板とでなる上面開口部に被嵌される周辺に壁片を備えた天板とで構成されるコンテナの構造である。
【００２２】
従って、請求項１の考案は、下記のイ）〜ハ）の特徴を有する。
イ）  壁材の一部を開放可能とすることと、この開放箇所を、壁板で隠蔽可能な構造とする。この構造により、品物の出入れの自由を確保し、新規ビジネス用のコンテナとして利用可能である。
ロ）  また、ダンボールという素材の特性と併せて、壁材と壁板との隙間より、コンテナ内への空気の流通を可能とし、品物と空気の接触で、品質保証と、損傷と汚れ解消が図れる。
ハ）  移動可能なコンテナボックス内に、収納可能な寸法と、形状を確保できる。
【００２３】
請求項２の考案は、請求項１に記載のコンテナの構造であって、
底部の壁片に緊結用の第一の孔を複数開設し、第一の孔には、壁材、及び壁材の開放部に設けた袖壁片の下端に、それぞれ複数開設した第二の孔が整合して、第一の整合孔を形成する構成とし、また、壁材、及び袖壁片の上端に、それぞれ複数開設した第三の孔には、天板の壁片に開設する複数の第四の孔が整合して、第二の整合孔を形成する構成とし、第一の整合孔と、第二の整合孔に、止め具を挿入して、前記底部と、壁材、並びに天板を一体化する構成としたコンテナの構造である。
【００２４】
従って、請求項２は、下記のニ）の特徴を有する。
ニ）  上記のイ）〜ハ）の目的を達成できるコンテナの構造を提供できる。
【００２５】
請求項３の考案は、請求項１に記載のコンテナの構造であって、
壁板の長手方向の両端部に、壁材の開放部に設けた袖壁片に掛止される袖壁板を設ける構成とし、袖壁板の上下端は、底部と天板の各壁片と衝止しないように短尺に形成されている構成としたコンテナの構造である。
【００２６】
従って、請求項３は、下記のホ）の特徴を有する。
ホ）  上記のイ）〜ハ）の目的を達成できる壁板の構造を提供できる。
【００２７】
請求項４の考案は、請求項１に記載のコンテナの構造であって、
底部と、壁材、並びに壁板と、天板とを、段ボールで形成する構成としたコンテナの構造である。
【００２８】
従って、請求項４は、下記のへ）の特徴がある。
へ）  上記のイ）〜ハ）の目的を達成できるコンテナの材料（構成材）を提供できる。
【図面の簡単な説明】
【００２９】
【図１】コンテナを分解した状態を示した斜視図
【図２】コンテナを組立てた状態を示した斜視図
【図３】天板を取外した状態を示した斜視図
【図４】壁板を組付ける（差込む）状態を示した斜視図
【図５】大型のコンテナボックスに、大型のコンテナを収納した状態を示した斜視図
【図６】図５のコンテナボックスの扉を開放した状態を示した斜視図
【図７】小型のコンテナボックスに、小型のコンテナを収納した状態を示した斜視図
【図８−１】新規ビジネスとコンテナとの関係を説明する模式図
【図８−２】他の新規ビジネスとコンテナとの関係を説明する模式図
【考案を実施するための形態】
【００３０】
以下、本考案の一実施例を説明すると、このコンテナ１は、新規ビジネスＡに使用される専用のコンテナ１である。そこで、先ず、この新規ビジネスＡに関して、一例を説明すると、このコンテナ１は、新規ビジネスＡの一部を担う建屋の全ての空スペースで、例えば、空倉庫Ｂ（空ビル、空テナント、又は空店舗・商店等）に設置される。このコンテナ１は、顧客Ｃの品物を収納する収納空間（部屋）を備えた構造である。このコンテナ１は、集配サービスＤによる搬送、又は引取り業務を利用し、顧客Ｃの基に移動し、このコンテナ１に当分必要としない品物Ｅを収納するか、又は必要とする品物（図示せず）を取出し、簡易な個人の倉庫（コンテナ１）として利用する。この顧客Ｃは、何時でも、集配サービスＤ、又は業者に電話等で連絡することで、この集配サービスＤが、前記の作業を請負いつつ、かつ必要とする品物Ｅか、又はコンテナ１をまるごと、顧客Ｂの基に搬送する。そして、品物Ｅの受取りか、又は顧客Ｃが自ら、品物Ｅの収納と引取り（取出し）所作をする。その後は、前述の通り、作業を行うである。そして、この新規ビジネスＡの特徴は、品物Ｅの取扱いと、収納の簡便化、又は居住空間の活用と整理に有効である。また、品物Ｅの保管と品質確保等にも有利性がある。更には、空スペースの有効利用と、集配サービスＤの新規事業と、収益の拡充が期待できる。
【００３１】
そして、場合により、顧客Ｃは、当分必要としない品物Ｅを、空倉庫Ｂに自ら持参することも可能であり、車Ｆにより、品物Ｅを空倉庫Ｂに保管されているコンテナ１に、前述と同様にして収納、又は引取りに行くこともで、必要とする時期に、気軽に行な得る実用性がある。その他は、前述の例に準ずる。
【００３２】
尚、ガレージＧの空くスペースを利用して、前述と同様な所作で、品物Ｅの収納と引取りを行なうことも可能である。
【００３３】
前述した、新規ビジネスＡは、全体として、例えば、品物Ｅを、別の場所に収納でき、居住空間を、広々と活用できる。そして、この搬送、又は引取りは、専門の集配サービスを活用することで、安心、安全である。また、空スペースを活用することで、この空スペースの関係者に福音をもたらす特徴がある。
【００３４】
次にコンテナ１の構成を説明すると、ダンボールＨを積層した強化ダンボール（商品名、トライウォール）でなる方形状の底部２と、この底部２の下側２ａで、かつ一方向２ａ１から他方向２ａ２に向かって複数本の空間構成兼ベース用の脚材３を設ける。そして、この脚材３間には、フォーリフトのフォークを挿入できる空間５が形成されるとともに、この脚材３は、コンテナボックス１０００の内底１００１に載架されるベース６となる。また、この底部２の周辺部２ｃから、上側２ｂへ壁片２０を立上げる。そして、この壁片２０の隅部には連結用の第一の孔４を複数個開設する。また、強化ダンボールでなる一面７ｃに開放部７０を備えた三面体の壁材７を形成する。この壁材７は、前記底部２の壁片２０に内側に立設される。この立設を介して、この壁材７は、コンテナ１の壁の一部を構成する。そして、この壁材７の開放部７０の両端には、それぞれ袖壁片７１、７１（対の場合は、一方とし、「７１」とする。以下同じ）を延設形成する。また、壁材７の開放部７０に差入れられる強化ダンボールでなる壁板８を形成する。この壁板８は、開放部７０に抜差し自在に設けられる構成であり、この差込み時において、壁材７に安定的に設置するためにその両側端部８ｃの側面方向（長手方向）には、袖壁板８０をそれぞれ設ける。そして、この袖壁板８０の開放側端は、壁板８の側端部８ｃから突出する構造である。この側端部８ｃを設けることで、壁材７の袖壁片７１に、側端部８ｃが添接されるとともに、壁材７の開放部７０は壁板８で閉塞される（空気の流通ができる閉塞である）。また、この袖壁板８０の上下端は、端尺構造とすることで、底部２の壁片２０と、後述する天板の壁片との衝止を回避するとともに、底部２と、壁材７と、後述する天板を組立てた後において、壁板８の差込みを可能とする。尚、この壁材７の一面７ｃ（開放部７０の対峙面）の左右の下端７ａと、袖壁片７１の下端７１ａには、連結用の第二の孔１０が複数個開設される。また、この壁材７の一面７ｃの左右の上端７ｂと、袖壁変７１の上端７１ｂには、連結用の第三の孔１１が複数個開設される。この壁材７（場合により壁板８とでなる）の上面開口部１３には、周辺に壁片１２００を備えた強化ダンボールでなる天板１２が被嵌される。この壁片１２００は、天板１２の周辺部１２ａから垂設する。そして、この壁片１２００の隅部には連結用の第四の孔１５を複数個開設する。図中１００２はコンテナボックス１０００の扉、１００３はコンテナボックス１０００のキャスタをそれぞれ示す。
【００３５】
続いて、コンテナ１を組立てる順序を説明すると、底部２の壁片２０の内側に、壁材７の三箇所の下端７ａを差込み、壁片２０に開設した各第一の孔４と、壁材７の下端に７ａと、袖壁片７１の下端７１ａとに、それぞれ開設した各第二の孔１０とを、それぞれ整合して、複数の第一の整合孔２０を形成する。そして、この各第一の整合孔２０に、それぞれ、ワンタッチ式の止め具２２を差込んで、この底部２と壁材７を組立てる。その後、壁材７の上面開口部１３には、周辺に壁片１２００を備えた天板１２を被嵌し、壁材７に天板１２の壁片１２００を添接する。この添接で、壁材７の上端７ｂと、袖壁片７１の上端７１ｂとに、それぞれ開設した各第三の孔１１と、天板１２の壁片１２００に開設した各第四の孔１５とを、それぞれ整合して、複数の第二の整合孔２１を形成する。そして、この各第二の整合孔２１に、それぞれ、ワンタッチ式の止め具２２を差込んで、この壁材７と天板１２を組立てる。以上の組立作業で、壁材７の一面７ｃに開放部７０を有する開放されたコンテナ１が形成される。この開放部７０には、壁板８が差込まれる。この差込みで、例えば、壁材７の袖壁片７１に、側端部８ｃが添接され、かつこの壁板８の下端８ａが、底部２の壁片２０の内側に、また壁板８の上端８ｂが、天板１２の壁片１２００の内側に、それぞれ添接される。この壁板８の差込みで、壁材７の開放部７０は閉塞され、コンテナ１が組立てられる。この組立てられたコンテナ１は、コンテナボックス１０００に収容される。
【００３６】
そして、このコンテナ１内に品物Ｅを収納する際には、コンテナボックス１０００の扉１００２のロックを外し、このコンテナボックス１０００を開放する。そして、壁材７の開放部７０より、壁板８を引抜き、この開放部７０を開放する。この開放で、コンテナ１内の品物Ｅの収納、又は取出しを行い。その所作が終了した際に、開放部７０に壁板８を差込み、開放部７０と、コンテナ１を閉塞した後に、コンテナボックス１０００の扉１００２を閉塞、かつロックする。また、図示しないが、必要により施錠する。尚、品物Ｅやコンテナ１の大きさにより、図７に示した小型のコンテナボックス１０００を利用する場合も考えられる。
【符号の説明】
【００３７】
１            コンテナ
２            底部
２ａ          下側
２ａ１        一方向
２ａ２        他方向
２ｂ          上側
２ｃ          周辺部
２０          壁片
３            脚材
４            第一の孔
５            空間
６            ベース
７            壁材
７ａ          下端
７ｂ          上端
７ｃ          一面
７０          開放部
７１          袖壁片
７１ａ        下端
７１ｂ        上端
８            壁板
８ａ          下端
８ｂ          上端
８ｃ          側端部
８０          袖壁板
１０          第二の孔
１１          第三の孔
１２          天板
１２ａ        周辺部
１２００      壁片
１３          上面開口部
１５          第四の孔
２０          第一の整合孔
２１          第二の整合孔
２２          止め具
１０００      コンテナボックス
１００１      内底
１００２      扉
１００３      キャスタ
Ａ            新規ビジネス
Ｂ            空倉庫
Ｃ            顧客
Ｄ            集配サービス
Ｅ            品物
Ｆ            車
Ｇ            ガレージ
Ｈ            ダンボール
【図１】
0003164495.tif 000003
【図２】
0003164495.tif 000004
【図３】
0003164495.tif 000005
【図４】
0003164495.tif 000006
【図５】
0003164495.tif 000007
【図６】
0003164495.tif 000008
【図７】
0003164495.tif 000009
【図８−１】
0003164495.tif 000010
【図８−２】
0003164495.tif 000011